【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
紙葉類取扱装置であって、
一枚以上の紙葉類を投入及び排出するための開口部と、
前記投入された紙葉類の真偽を判別する判別部と、
前記投入された紙葉類を一時的に保留するための保留部と、
前記投入された紙葉類のうち偽の紙葉類を回収するための偽紙葉類回収部と、
前記投入された紙葉類に偽の紙葉類が含まれる場合に、前記紙葉類取扱装置にあらかじめ設定された処理指示を実行して、前記保留部に前記紙葉類を保留し、前記保留された紙葉類の取得が指示された場合に、前記保留部に保留された紙葉類のうち前記偽の紙葉類を前記偽紙葉類回収部に回収し、前記保留部に保留された紙葉類のうち少なくとも真の紙葉類を排出して取得可能とする制御部と、を備える
紙葉類取扱装置。
【請求項２】
請求項１記載の紙葉類取扱装置であって、
前記処理指示を記憶するための記憶部を更に備え、
前記制御部は、前記記憶部から前記処理指示を読み出して前記処理指示を実行する、紙葉類取扱装置。
【請求項３】
請求項１または請求項２記載の紙葉類取扱装置であって、
前記処理指示を設定するための操作部を更に備える、紙葉類取扱装置。
【請求項４】
請求項１から請求項３までのいずれか一の請求項記載の紙葉類取扱装置であって、
前記開口部はシャッタを備え、
前記保留された紙葉類の取得が指示された場合に、前記保留部に保留された前記偽の紙葉類と異なる紙葉類を前記シャッタの開閉により取得可能とする、紙葉類取扱装置。
【請求項５】
請求項１から請求項４までのいずれか一の請求項記載の紙葉類取扱装置であって、
前記投入された紙葉類の枚数を計数する計数部を更に備える、紙葉類取扱装置。
【請求項６】
請求項１から請求項５までのいずれか一の請求項記載の紙葉類取扱装置であって、
前記紙葉類は紙幣である、紙葉類取扱装置。
【請求項７】
請求項１から請求項６までのいずれか一の請求項記載の紙葉類取扱装置であって、
前記偽紙葉類回収部は、該偽紙葉類回収部を取扱可能な人物によって開閉される開閉手段を備える、紙葉類取扱装置。
【請求項８】
請求項１から請求項７までのいずれか一の請求項記載の紙葉類取扱装置であって、
前記処理指示は、
前記偽の紙葉類を前記保留部に保留する指示と、
前記偽の紙葉類を前記偽紙葉類回収部に回収する指示と、
前記偽の紙葉類を前記開口部から排出する指示と、
から選択可能である、紙葉類取扱装置。
【請求項９】
請求項１から請求項７までのいずれか一の請求項記載の紙葉類取扱装置であって、
前記真の紙葉類を回収する真紙葉類回収部を更に備え、
前記処理指示は、
前記真の紙葉類を前記保留部に保留する指示と、
前記真の紙葉類を前記真紙葉類回収部に回収する指示と、
前記真の紙葉類を前記開口部から排出する指示と、
から選択可能である、紙葉類取扱装置。
【請求項１０】
紙葉類取扱装置が紙葉類を取扱うための方法であって、
前記紙葉類取扱装置は、
一枚以上の紙葉類を投入及び排出するための開口部と、
前記投入された紙葉類の真偽を判別する判別部と、
前記投入された紙葉類を一時的に保留するための保留部と、
前記投入された紙葉類のうち偽の紙葉類を回収するための偽紙葉類回収部と、を備え、
前記投入された紙葉類に偽の紙葉類が含まれる場合に、前記紙葉類取扱装置にあらかじめ設定された処理指示に基づいて前記保留部に前記紙葉類を保留する工程と、
前記保留された紙葉類の取得が指示された場合に、前記保留部に保留された紙葉類のうち前記偽の紙葉類を前記偽紙葉類回収部に回収する工程と、
前記保留部に保留された紙葉類のうち少なくとも真の紙葉類を排出して取得する工程と、を備える方法。
【手続補正２】
【補正対象書類名】明細書
【補正対象項目名】００１５
【補正方法】変更
【補正の内容】
【００１５】
［適用例８］適用例１から適用例７までのいずれか一の適用例記載の紙葉類取扱装置であって、前記処理指示は、前記偽の紙葉類を前記保留部に保留する指示と、前記偽の紙葉類を前記偽紙葉類回収部に回収する指示と、前記偽の紙葉類を前記開口部から排出する指示と、から選択可能である、紙葉類取扱装置。このような構成であれば、紙葉類取扱装置の設置状況に応じて、投入された紙葉類の中に偽の紙葉類が含まれる場合の処理指示を紙葉類取扱装置に設定しておくことができる。
【手続補正３】
【補正対象書類名】明細書
【補正対象項目名】００１６
【補正方法】変更
【補正の内容】
【００１６】
［適用例９］適用例８記載の紙葉類取扱装置であって、前記真の紙葉類を回収する真紙葉類回収部を更に備え、前記処理指示は、前記真の紙葉類を前記保留部に保留する指示と、前記真の紙葉類を前記真紙葉類回収部に回収する指示と、前記真の紙葉類を前記開口部から排出する指示と、から選択可能である、紙葉類取扱装置。このような構成であれば、紙葉類取扱装置の設置状況に応じて、投入された紙葉類の中に偽の紙葉類が含まれる場合の真の紙葉類の処理指示を、紙葉類取扱装置に設定しておくことができる。
【手続補正４】
【補正対象書類名】明細書
【補正対象項目名】００３１
【補正方法】変更
【補正の内容】
【００３１】
カードの口座番号が読み取り可能である場合には（図４ステップＳ１５：Ｙｅｓ）、ＡＴＭ側制御部１００のＣＰＵは、紙幣取扱部１１０に紙幣入出金口１１を開口させる（図４ステップＳ２０）。この際、タッチパネル１２には、図５（Ｃ）に示すように利用者に紙幣の入金を促す情報が表示される。利用者が紙幣入出金口１１に紙幣を投入し、タッチパネル１２に表示された「シャッタ閉」ボタンを押下すると、ＡＴＭ側制御部１００のＣＰＵは、紙幣取扱部１１０に、投入された紙幣を計数部１１１および判別部１１２へ搬送させる。
【手続補正５】
【補正対象書類名】明細書
【補正対象項目名】００３９
【補正方法】変更
【補正の内容】
【００３９】
図７は、タッチパネル１２に表示される偽券検知時処理を指示するための画面の一例を説明するための図である。本実施例のＡＴＭ１０においては、「１．偽券保留かつ真券保留」「２．偽券保留かつ真券返却」「３．偽券回収かつ真券回収」「４．偽券回収かつ真券返却」「５．偽券返却かつ真券返却」の５つの偽券検知時処理指示が選択可能である。係員等により図７に示す１から５のいずれかの偽金検知時処理の選択ボタン２１２が押下されて、ＯＫボタン２１３が押下されると、操作部１０２は、受け付けた処理をＡＴＭ側制御部１００へと伝達する。ＡＴＭ側制御部１００のＣＰＵは、選択された偽券検知時処理指示を、ＡＴＭ側記憶部１０８に記憶する。ＡＴＭ側制御部１００のＣＰＵは、判別部１１２により偽券が検知された場合には、ＡＴＭ側記憶部１０８に記憶された偽券検知時処理指示を読み出して、その処理指示に従ってＡＴＭ１０の各部を動作させ、偽券検知時処理を実行する。
【手続補正６】
【補正対象書類名】明細書
【補正対象項目名】００４２
【補正方法】変更
【補正の内容】
【００４２】
ＡＴＭ側記憶部１０８に偽券検知時の処理指示として、「２．偽券保留かつ真券返却」が記憶されている場合、偽券の処理としては「保留」が選択されているので（図８ステップＳ５０１：保留）、紙幣取扱部１１０は、偽券を一時保留庫１１３に保留する（図８ステップＳ５０２）。紙幣取扱部１１０は、投入された紙幣の中に真券（リジェクト券を含む）がある場合（図８ステップＳ５０５：Ｙｅｓ）、真券の処理としては「返却」が選択されているので（図８ステップＳ５０６：返却）、真券を紙幣入出金口１１から利用者に返却する（図８ステップＳ５０９）。ＡＴＭ側制御部１００のＣＰＵは、操作部１０２のタッチパネル１２に、図１０（Ｂ）に示すような「取扱できない紙幣（偽券）は返却できない」旨の情報および「返却された紙幣（真券およびリジェクト券）の受け取り」を促す情報を表示させる。その後、前述の「１．偽券保留かつ真券保留」の処理指示が記憶されているときと同様に、ＡＴＭ側制御部１００のＣＰＵは、ＡＴＭ１０の取引を停止させる。このように、本実施例では、偽券の「保留」が処理指示としてＡＴＭ側記憶部１０８に記憶されていると（図８ステップＳ５０１：保留）、ＡＴＭ側制御部１００のＣＰＵは、ＡＴＭ１０の取引を停止させる。
【手続補正７】
【補正対象書類名】明細書
【補正対象項目名】００４４
【補正方法】変更
【補正の内容】
【００４４】
ＡＴＭ側記憶部１０８に偽券検知時の処理指示として、「４．偽券回収かつ真券返却」が記憶されている場合、偽券の処理としては「回収」が選択されているので（図８ステップＳ５０１：回収）、紙幣取扱部１１０は偽券を偽券回収庫１１５に回収する（図８ステップＳ５０３）。さらに投入された紙幣の中に真券（リジェクト券を含む）がある場合には（図８ステップＳ５０５：Ｙｅｓ）、真券の処理としては「返却」が選択されているので（ステップＳ５０６：返却）、紙幣取扱部１１０は真券を紙幣入出金口１１に搬送して、紙幣入出金口１１のシャッタを開ける（図８ステップＳ５０９）。ＡＴＭ側制御部１００のＣＰＵは、操作部１０２のタッチパネル１２に、図１１（Ａ）に示すような「取扱できない紙幣（偽券）は回収された」旨の情報および「返却された紙幣（真券およびリジェクト券）の受け取り」を促す情報を表示させる。その後、ＡＴＭ側制御部１００のＣＰＵは、ＡＴＭ１０の取引を継続させる。
【手続補正８】
【補正対象書類名】明細書
【補正対象項目名】００４５
【補正方法】変更
【補正の内容】
【００４５】
ＡＴＭ側記憶部１０８に偽券検知時の処理指示として、「５．偽券返却かつ真券返却」が記憶されている場合、偽券の処理としては「返却」が選択されているので（図８ステップＳ５０１：返却）、紙幣取扱部１１０は偽券を紙幣入出金口１１に搬送する（図８ステップＳ５０４）。さらに投入された紙幣の中に真券（リジェクト券を含む）がある場合には（図８ステップＳ５０５：Ｙｅｓ）、真券の処理としては「返却」が選択されているので（図８ステップＳ５０６：返却）、紙幣取扱部１１０は真券を紙幣入出金口１１に搬送して、紙幣入出金口１１のシャッタを開ける（図８ステップＳ５０９）。ＡＴＭ側制御部１００のＣＰＵは、操作部１０２のタッチパネル１２に、図１１（Ｂ）に示すような「取扱できない紙幣が含まれている」旨の情報および「返却された紙幣の受け取り」を促す情報を表示させる。その後、ＡＴＭ側制御部１００のＣＰＵは、ＡＴＭ１０の取引を継続させる。このように、本実施例では、偽券の「保留」が処理指示としてＡＴＭ側記憶部１０８に記憶されていない場合には、ＡＴＭ側制御部１００のＣＰＵは、偽券検知後もＡＴＭ１０の取引を継続させる。
【手続補正９】
【補正対象書類名】明細書
【補正対象項目名】００５０
【補正方法】変更
【補正の内容】
【００５０】
一時保留庫１１３内の紙幣が偽券と判別されると（図１２ステップＳ７３０：Ｙｅｓ）、紙幣取扱部１１０は偽券を偽券回収庫１１５へ搬送する（図１２ステップＳ７４０）。偽券でないと判別されると（図１２ステップＳ７３０：Ｎｏ）、紙幣取扱部１１０は偽券でないと判別された紙幣を紙幣入出金口１１へ搬送する（図１２ステップＳ７５０）。すると、ＡＴＭ１０のタッチパネル１２には、図１３（Ｂ）に示すような情報が表示される。なお、処理指示として「２．偽券保留かつ真券返却」が選択されている場合には、一時保留庫１１３には偽券のみが保留されているため、一時保留庫１１３内の紙幣は偽券と判別され（図１２ステップＳ７３０：Ｙｅｓ）、紙幣入出金口１１には紙幣が搬送されない。
【手続補正１０】
【補正対象書類名】図面
【補正対象項目名】図３
【補正方法】変更
【補正の内容】
【図３】
2013222377.tif 000001
【手続補正１１】
【補正対象書類名】図面
【補正対象項目名】図１０
【補正方法】変更
【補正の内容】
【図１０】
2013222377.tif 000002